(57)【要約】      （修正有）【課題】チャンネル変更時間を低減するために、主ビデオ番号ストリームに加えて使用されるビデオ番組ストリームを送信するために必要な帯域幅を低減する。【解決手段】サービスは元のフォーマットで符号化されてストリーミングされ、更に、低解像度のフォーマットで符号化されてストリーミングされる。この方法は、元のサービスのIピクチャのプレゼンテーションタイムに近いIピクチャのプレゼンテーションタイムを有する付随するサービスで送信されたGOPを選択する。付随するストリームのこれらの選択されたGOPは、使用されず、送信される必要はない。チャンネル変更動作の後に、受信機は、双方のストリームで復号化される第１の圧縮Iピクチャを待つ。２つの符号化されたIピクチャが同時に復号化に利用可能になるとすぐに、受信機は体系的に主ストリームを選択し、付随するストリームを選択しない。【選択図】図２
2012165380.tif 000002
【特許請求の範囲】
【請求項１】
ビデオ番組を配信する方法であって、
第１のレベルのピクチャ解像度を有する第１のビデオストリームにおいて前記ビデオ番組を符号化するステップであり、前記第１のビデオストリームは、複数の第１のグループオブピクチャと、前記第１のグループオブピクチャのそれぞれに関連する第１の時間情報とを有するステップと、
第２のレベルのピクチャ解像度を有する第２のビデオストリームにおいて前記ビデオ番組を符号化するステップであり、前記第２のレベルのピクチャ解像度は、前記第１のレベルのピクチャ解像度より低く、前記第２のビデオストリームは、複数の第２のグループオブピクチャと、前記第２のグループオブピクチャのそれぞれに関連する第２の時間情報とを有するステップと、
条件付きで前記第２のグループオブピクチャを送信するステップと
を有することを特徴とする方法。
【請求項２】
前記送信するステップは、前記第１及び第２の時間情報と、前記第１のグループオブピクチャのうち少なくとも１つの持続時間により乗算される符号化パラメータとの間の時間間隔の比較結果に従って、前記第２のグループオブピクチャを送信することを有することを特徴とする、請求項１に記載の方法。
【請求項３】
前記第１及び第２の時間情報は、MPEG圧縮標準によるプレゼンテーションタイムスタンプである、請求項１又は２に記載の方法。
【請求項４】
前記第１及び第２のビデオストリームは、MPEG-2標準に従う、請求項１ないし３のうちいずれか１項に記載の方法。
【請求項５】
前記第１及び第２の時間情報と、前記第１のグループオブピクチャの持続時間により乗算される符号化パラメータとの間の比較は、以下のように規定され、
-α≦(PTSLm-PTSHn)/GOPF≦β
ただし、α及びβは符号化パラメータであり、PTSHnは前記第１のグループオブピクチャのうち第nのグループオブピクチャのIピクチャのプレゼンテーションタイムスタンプであり、PTSLmは前記第２のグループオブピクチャのうち第mのグループオブピクチャのIピクチャのプレゼンテーションタイムスタンプであり、GOPFは前記第１のグループオブピクチャのそれぞれの持続時間である、請求項３又は４に記載の方法。
【請求項６】
第１のビデオ番組と第２のビデオ番組とを受信し、第３のビデオ番組を配信するように適合された分析モジュールであって、
前記ビデオ番組は、各グループオブピクチャのIピクチャに関連する時間情報を有する連続するグループオブピクチャで構成され、
第１及び第２の時間情報と、前記第１のビデオ番組の第１のグループオブピクチャのそれぞれの持続時間により乗算される符号化パラメータとの間の時間間隔の比較結果に従って、前記第３のビデオ番組を構築するために、条件付きで前記第２のビデオ番組の前記グループオブピクチャを送信するように適合される分析モジュール。
【請求項７】
第１のビデオ番組を符号化する高解像度符号化モジュールと、第２のビデオ番組を符号化する低解像度符号化モジュールとを有するビデオ符号化器であって、
前記ビデオ番組は、各グループオブピクチャのIピクチャに関連する時間情報を有する連続するグループオブピクチャで構成され、
第１及び第２の時間情報と、前記第１のビデオ番組の第１のグループオブピクチャのそれぞれの持続時間により乗算される符号化パラメータとの間の時間間隔の比較結果に従って、第３のビデオ番組を構築するために、条件付きで前記第２のビデオ番組の前記グループオブピクチャを送信するように適合された分析モジュールを有するビデオ符号化器。
【発明の詳細な説明】
【技術分野】
【０００１】
本発明は、概してチャンネル変更時間の最適化方法に関し、特に帯域幅最適化により新たに選択された番組を表示する時間を低減する方法に関する。
【背景技術】
【０００２】
この部分は、以下に記載する本発明の様々な態様及び／又は特許請求の範囲に記載する本発明の様々な態様に関係し得る技術の様々な側面を読者に紹介することを目的とする。この説明は、本発明の様々な態様のより良い理解を促すために、読者に背景情報を提供することに有用であると考えられる。従って、これらの記述は、この観点から読まれるべきであり、従来技術の認定として読まれるべきではない。
【発明の概要】
【発明が解決しようとする課題】
【０００３】
過去の数年間の間に、多くのイノベーションがテレビの経験を改善してきている。例えば、番組の数、デジタル処理、画像の鮮明度、何らかの新たな種類のネットワークで番組をユーザに放送する方法等がある。しかし、この期間に、テレビの経験はまた、チャンネル変更時間のような特定の欠点を受けている。今日では、１つのチャンネルから他のチャンネルに表示を変更するために、従来のアナログテレビシステムではほぼ瞬時であったが、場合によっては数秒を要することがある。この欠点は、特にIPTV及び移動システムに当てはまるが、一般的には、伝達される媒体に拘らず、全てのデジタル放送システムに影響を及ぼす。
【０００４】
ブロードバンド又は放送ネットワークを介したビデオ配信は、MPEG-2（ISO/IEC  13818）又はJVT/H.264/MPEG  AVCのような標準的な圧縮システムを使用する。MPEG標準は、グループオブピクチャ（GoP：Group  of  Picture）を規定している。GoPは、I、P、Bタイプのピクチャの系列を規定する。これらのピクチャはまた、MPEG標準でも規定されている。I（Intra：イントラ）ピクチャは、他のピクチャを参照せずに符号化される。P（Predictive：予測）ピクチャは、前のピクチャを参照して記述される。B（Bidirectional：双方向）ピクチャは、前後のピクチャを参照して記述される。受信機が番組を受信すると、復号化を開始するためにIピクチャの受信を待つ。これは、特にザッピング（zapping）の場合に、新たなフィルムの表示の前に遅延を生じさせる。従って、ユーザがチャンネルを変更すると、画面上への新たなチャンネルの表示の前に、時間が経過する。この時間は、ストリームにおいて復号可能なIピクチャを受信する時間と、受信メモリを満たすための時間とに分割される。
【０００５】
MPEGビデオ圧縮標準によれば、幾つかのタイムスタンプは、符号化器から復号化器に送信される。オーディオ／ビデオ番組を伝達するトランスポートストリームは、符号化システムにより使用されるシステム時間クロック（STC：system  time  clock）のサンプルを伝達する幾つかの番組クロック基準情報（PCR：program  clock  reference  information）を含む。時間情報は、復号化器においてクロックシステムを同期化するために使用される。オーディオ／ビデオ番組の基本ストリームは、オーディオ／ビデオデータが番組の処理のために復号化器で利用可能になるべき時間を示すプレゼンテーションタイムスタンプ（PTS：presentation  time  stamp）と呼ばれる何らかの時間情報を伝達する。従って、PTSは、番組のビデオコンテンツが復号化器により表示される場合のPCRの値を示す。
【０００６】
更なるストリームを追加することにより、チャンネル変更時間を改善するための複数の対策が存在する。更なるストリームの構造は、復号化可能なピクチャがより早く見つかり、表示可能になるようなものである。これは、例えば、特許出願WO2005112465A1に定められているものである。チャンネル変更時間を低減するためのこの対策の改善は、復号化器が復号化可能なピクチャを早く受信するために、主ストリームと更なるストリームとの間に遅延を導入することにより知られている。
【０００７】
図３、図４及び図５は、既に知られている幾つかのチャンネル変更の対策を示している。ストリームは、GoPの系列である。Iピクチャに関連するプレゼンテーションタイムスタンプ情報（PTS）が図面に示されており、連続する番組クロック基準（PCR）値は、ピクチャが表示される時間を示している。
【０００８】
図３は、MPEGのようなビデオ圧縮標準を使用したテレビシステムでの標準的なチャンネル変更方法を示している。チャンネル変更コマンドから、受信機は、番組ストリームにおける次のIピクチャを待ち、番組クロック基準（PCR）がIピクチャに関連するプレゼンテーションタイムスタンプに合致した時点から入来するピクチャを復号化して表示する。チャンネル変更コマンドと次のIピクチャとの間の時間間隔は、ランダムアクセスポイント（RAP：Random  Access  Point）と呼ばれる。受信した最初のIピクチャと表示するためのPCRの値との間の時間間隔は、ΔPCR/PTSと呼ばれる。最後に、チャンネル変更コマンドと処理の開始との間の時間は、RAP+ΔPCR/PTSである。この対策を使用することにより、チャンネル変更遅延が重要になり得る。
【０００９】
図４は、主番組ストリームと並行して受信機に配信される２次番組ストリームを使用することにより、MPEGのようなビデオ圧縮標準を使用したテレビシステムにおける最適化されたチャンネル変更方法を示している。２次ストリームは、主ストリームより低解像度で符号化されており、２次ストリームのGOPサイズは、主ストリームのGOPサイズに関して低減されている。受信機は、唯一の番組ストリームが送信される場合のチャンネル変更方法に比べて、次のIピクチャを早く受信する。チャンネル変更コマンドから番組の処理までの時間は、図３に記載のチャンネル変更の対策に比べて低減される。
【００１０】
図５は、主番組ストリームと２次番組ストリームとの間の遅延を用いて、主番組ストリームと並行して受信機に配信される２次番組ストリームを使用することにより、MPEGのようなビデオ圧縮標準を使用したテレビシステムにおける最適化されたチャンネル変更方法を示している。従って、所与のプレゼンテーションタイムスタンプに関連する次のIピクチャは、受信機により図４に提示される対策に従って遅く受信され、受信バッファにおける時間は、遅延のない場合より小さくなる。時間ΔPCR/PTSが低減される。これは、図４に記載の対策に比べてチャンネル変更時間を最適化する。
【００１１】
しかし、更なるストリームは、番組を伝達する更なる帯域幅の使用を必要とし、これは、送信の欠点になる。
【００１２】
本発明の目的は、従来技術の欠点を克服することである。具体的には、本発明の目的は、チャンネル変更時間を低減するために、主ビデオ番組ストリームに加えて使用される更なるビデオ番組ストリームを送信するために必要な帯域幅を低減することである。
【課題を解決するための手段】
【００１３】
本発明は、更なるストリームを使用して更なるストリームの送信の帯域幅を最適化することにより、テレビシステムの受信機側でのチャンネル変更時間を低減するのに適した方法に関する。
【００１４】
本発明は、ブロードバンド又は放送テレビシステムに適用可能であるが、最適化がより重要である放送テレビシステムに焦点を当てる。
【００１５】
本発明は、ビデオ復号化器側でチャンネル変更時間を低減するためのビデオ符号化器における方法に関する。この方法は、第１のレベルのピクチャ解像度を有する第１のビデオストリームにおいてビデオソースからのビデオ番組を符号化するステップを有し、この第１のビデオストリームは、複数の第１のグループオブピクチャと、各第１のグループオブピクチャに関連する第１の時間情報とを有する。この方法はまた、第１のビデオストリームのピクチャ解像度より低いレベルのピクチャ解像度を有する第２のビデオストリームにおいてビデオソースからのビデオ番組を符号化するステップを有する。第２のビデオストリームは、複数の第２のグループオブピクチャと、各第２のグループオブピクチャに関連する第２の時間情報とを有する。この方法は、第１及び第２の時間情報と、第１のグループオブピクチャの持続時間を表す少なくとも重み付けられた情報との比較結果に従って、これらの第２のグループオブピクチャの一部を送信するステップを更に有することを特徴とする。
【００１６】
本発明の方法は、受信機／復号化器にとって主ストリームのものと冗長であるグループオブピクチャを識別することにより、第２のビデオストリームを送信するために必要な帯域幅を容易に節約することを可能にする。この方法は、これらのグループオブピクチャの送信を回避する。この方法の利点は、受信機側で差異が存在しないことにある。チャンネル変更遅延の最適化のために２つのストリームを含む異なる符号化／送信方法で動作する如何なる受信機も、本発明の方法で動作する。
【００１７】
本発明の変形によれば、ピクチャの解像度は、グループオブピクチャに挿入されるピクチャの数によってのみ規定される。
【００１８】
本発明の実施例によれば、重み付けられた情報は、第１のグループオブピクチャの持続時間により乗算される符号化パラメータである。
【００１９】
本発明の実施例によれば、第１及び第２の時間情報は、MPEG圧縮標準によるプレゼンテーションタイムスタンプである。
【００２０】
本発明の実施例によれば、第１及び第２のビデオストリームは、MPEG-2標準に従う。
【００２１】
本発明の実施例によれば、これらの第１及び第２の時間情報と、これらの第１のグループオブピクチャの持続時間を表す少なくとも重み付けられた情報との間の比較は、以下のように規定される。
-α≦(PTSLm-PTSHn)/GOPF≦β
ただし、α及びβは符号化パラメータであり、PTSHnはこれらの第１のグループオブピクチャのうち第nのグループオブピクチャのプレゼンテーションタイムスタンプであり、PTSLmはこれらの第２のグループオブピクチャのうち第mのグループオブピクチャのプレゼンテーションタイムスタンプであり、GOPFはこれらの第１のグループオブピクチャの持続時間である。
【００２２】
本発明の他の目的は、第１のビデオ番組と第２のビデオ番組とを受信し、第３のビデオ番組を配信するように適合された分析モジュールであり、ビデオ番組は、各グループオブピクチャに関連する時間情報を有する連続するグループオブピクチャで構成され、第１及び第２のビデオ番組からのグループオブピクチャの時間情報と、第１のビデオ番組のグループオブピクチャの持続時間を表す少なくとも重み付けられた情報との比較結果に従って、第３のビデオ番組を構築するために、第２のビデオ番組のグループオブピクチャの一部を送信するように適合される。
【００２３】
本発明はまた、第１のビデオ番組を符号化する高解像度符号化モジュールと、第２のビデオ番組を符号化する低解像度符号化モジュールとを有するビデオ符号化器に関し、ビデオ番組は、各グループオブピクチャに関連する時間情報を有する連続するグループオブピクチャで構成され、第１及び第２のビデオ番組からのグループオブピクチャの時間情報と、第１のビデオ番組のグループオブピクチャの持続時間を表す少なくとも重み付けられた情報との比較結果に従って、第３のビデオ番組を構築するために、第２のビデオ番組のグループオブピクチャの一部を送信するように適合された分析モジュールを有する。
【図面の簡単な説明】
【００２４】
【図１】本発明の好ましい実施例に従ったシステムのブロック図
【図２】本発明の好ましい実施例に従った符号化器のブロック図
【図３】処理の最適化のないチャンネル変更を示す図
【図４】主ストリームと同期した第２のストリームの使用により、処理の最適化を備えたチャンネル変更を示す図
【図５】主ストリームに関して遅延した第２のストリームの使用により、処理の最適化を備えたチャンネル変更を示す図
【図６】本発明の好ましい実施例による符号化器内のGOP分析処理を記載したフローチャート
【発明を実施するための形態】
【００２５】
本発明は、添付図面を参照した限定的ではない以下の実施例及び実行例により理解され、実施例及び実行例により示される。
【００２６】
図１及び図２において、表示されるブロックは単に機能的なエンティティであり、必ずしも物理的に異なるエンティティに対応するとは限らない。すなわち、これらは、ハードウェア又はソフトウェアの形式で開発されてもよく、１つ又は複数の集積回路に実装されてもよい。
【００２７】
本発明の図面及び説明は、明瞭にする目的で、典型的なデジタルマルチメディアコンテンツ配信方法及びシステムにある多くの他の要素を除去しつつ、本発明の明瞭な理解に関係する要素を示すように簡略化されていることが分かる。しかし、このような要素は、当該技術分野において周知であるため、このような要素の説明はここでは提供されない。この開示は、当業者に既知の全てのこのような変更及び変形を対象とする。
【００２８】
図１は、本発明の好ましい実施例による放送システムを示している。ビデオソース1は、符号化器2に番組を配信する。符号化器は、MPEG-2圧縮標準に従ってフル解像度で第１の番組を第１の番組を符号化し、より低い解像度で第２の番組を符号化する。実施例によれば、符号化器は、双方の番組の各GOPのIピクチャに関連するPTS情報を比較し、受信機側でのGOPの冗長性を予測することにより第２の番組のGOPを配信する又は配信しないGOP分析モジュールを含む。双方のストリームは、MPEG-2標準に従ってトランスポートストリームフォーマットにパケット化され、送信機3により無線を通じて放送されるために多重化される。放送信号に接続された受信機／復号化器4は、トランスポートストリームを受信し、ディスプレイ装置5にビデオ番組を表示するために番組の復号化を行う。受信機／復号化器4は、できるだけ早くディスプレイ装置5でのソース1により配信された番組の処理を行うために、チャンネル変更コマンドの後に第１の符号化された番組（フル解像度）又は第２の符号化された番組（低解像度）の選択を行う。第２の番組がチャンネル変更について選択された場合、受信機／符号化器4は、第１の番組からのIピクチャを取得するとすぐに、ディスプレイ装置5にフル解像度のピクチャを提供するために第１の番組に切り替える。
【００２９】
図２は、実施例による符号化器を示している。符号化器は、符号化器2の構成及び制御のためにメモリに関連するマイクロプロセッサ（図示せず）のような制御ユニットを含む。ビデオ番組に対応するソース信号は、入力インタフェース201に配信され、高解像度のピクチャで符号化され、高解像度（HR：high  resolution）符号化モジュール204により第１の番組ストリームに変換される。HR符号化器からの符号化された信号は、番組ストリームをMPEG-2準拠のトランスポートストリームにパケット化するトランスポートモジュール207により処理される。このトランスポートストリームは、マルチプレクサモジュール209に送信され、トランスポートモジュール208により配信された他のトランスポートストリームと連結される。マルチプレクサモジュールは、変調及び送信のような更なる処理のために、出力インタフェース210での単一のトランスポートストリームを配信する。
【００３０】
符号化器の第２のパスでは、ソース信号は、低解像度のピクチャで符号化されて低解像度（LR：low  resolution）符号化モジュール205により第２の番組ストリームに変換される前に、遅延モジュール202により遅延される。遅延モジュール202は、受信機側でIピクチャを取得する時間を減少させるために、第１の番組ストリームに関して第２の番組ストリームを遅延させるために使用される。双方の番組ストリームは、MPEG-2圧縮標準に従って符号化される。
【００３１】
システム時間クロックモジュール203は、プレゼンテーションタイムスタンプ（PTS：presentation  time  stamp）を番組ストリームに含めるために、システム時間クロック（STC：system  time  clock）を符号化モジュール204及び205に配信する。番組のPTS情報は、受信機がピクチャの表示を開始する時間を受信機に示す。番組ストリームの各GoPは、符号化モジュールによりストリームに含まれるPTS情報に関連付けられ、GoPのIピクチャに関連付けられる。
【００３２】
PTS情報は、番組クロック基準（PCR：program  clock  reference）に従って番組の表示を同期させるために受信機側で使用される。受信機がピクチャを復号化する場合、対応するPTS情報を読み、PCR値がPTS値に一致する場合にピクチャを表示するためにディスプレイバッファの読み取りを開始する。
【００３３】
PTS値はPCRクロックに関して考慮される。PCRクロックは、多重されたトランスポートストリームで受信機に送信される。
【００３４】
基本的には、番組クロック基準（PCR）は、伝送システムにおいて符号化器と復号化器とを同期させる。PCRは、STCクロックに基づき、出力インタフェースを通じた送信の前に、マルチプレクサモジュール209により挿入される。
【００３５】
HR符号化器とLR符号化器とにより配信された番組ストリームが連続するGoPで構成されることを考慮すると、PTSHnはフル解像度のピクチャで符号化された第１の番組ストリームの第nのGoPのIピクチャのプレゼンテーションタイムスタンプを表し、PTSLmは低解像度のピクチャで符号化された第２の番組ストリームの第mのGoPのIピクチャのプレゼンテーションタイムスタンプを表す。
【００３６】
実施例によれば、GoP分析モジュール206は、第１の番組ストリームと第２の番組ストリームとの間のGoPの冗長性を分析する。第２の番組ストリームのGoPが冗長である場合、GoP分析器206は、第２の番組ストリームのGoPをスキップする。GoPは、第２の番組ストリームを送信するために必要な帯域幅を低減するために送信されない。
【００３７】
第２の番組ストリームのGoPは、関連するPTS値が第１の番組ストリームのGoPのPTSに近くなるとすぐに、冗長であると宣言され、その結果、送信されない。
【００３８】
２つの場合が考えられる。第２の番組ストリームのGoPのIピクチャは、第１の番組ストリームのIピクチャの前又は後のいずれかに提示されなければならない。
【００３９】
第１の場合、プレゼンテーションタイムスタンプPTSHn及びPTSLmの間の差が閾値より小さい場合、第２の番組ストリームのGoPは送信されない。この理由は、チャンネル変更遅延の改善が十分に有効ではないからである。チャンネル変更遅延の改善は、第１の番組ストリームのGoP持続時間に依存する平均チャンネル変更遅延に関係する。このため、第１の場合の閾値は、この値に依存する。
【００４０】
第１の場合、第２の番組ストリームのGoPは、以下の式を満たす場合に冗長であると宣言される。
0≦PTSHn-PTSLm≦α×GOPF
ただし、αは割合（パーセント）を表し、GOPFは主ストリームのGoPの持続時間を表す。
【００４１】
第２の場合、第２の番組ストリームのGoPは、第１の番組ストリームのプレゼンテーションタイムスタンプより高いプレゼンテーションタイムスタンプを有する。このことは、ユーザがチャンネルを変更した場合、受信は第１の番組ストリームのIピクチャを取り損なう可能性があるが、直後に提示される第２の番組ストリームのIピクチャを受信する可能性があり、その結果、チャンネル変更遅延が改善される。
【００４２】
或る場合、チャンネル変更遅延の改善は、第２の番組ストリームのGoPの配信を正当化するほど帯域幅のコストに関して十分でないことが推定される。PTSHnとPTSLmとの間の差が小さすぎる場合、この範囲でのチャンネル変更の確率は小さすぎると考えられる。この場合に他の閾値が導入される。プレゼンテーションタイムスタンプの間の差がこの閾値より小さい場合、第２の番組ストリームのGoPは送信されない。
【００４３】
これは以下の式に対応する。
0≦PTSLm-PTSHn≦β×GOPF
ただし、βは割合（パーセント）を表し、GOPFは第１の番組ストリームのGoPの持続時間を表す。
【００４４】
双方の式を連結すると、GoPが送信されない条件は、以下のようになる。
-α≦(PTSLm-PTSHn)/GOPF≦β
ただし、α及びβは符号化器側で規定された値である。それぞれは、チャンネル変更遅延と第２の番組ストリームの帯域幅の節約との間の折衷案（compromise）である。実際に、α及びβのパラメータは、5%〜10%の範囲に規定される。これらの値は、チャンネル変更を行う間のユーザの感受性に対応する。最適化がユーザにとって目に見えるほど十分でない場合、チャンネル変更遅延を低減するために第２のストリームでGOPを送信する必要はない。
【００４５】
図６は、符号化器内のGOP分析モジュールの処理を示すフローチャートである。前述のように、ビデオ処理のために低解像度の番組ストリームのGoPが受信機側で高解像度の番組ストリームのGoPと冗長であるか否かを規定するために、２つの条件が考慮される。
【００４６】
S1は、GoP分析器の初期化ステップである。このステップにおいて、α及びβの閾値がGoP分析器にロードされる。これらのパラメータは、現在のPTSと第１の番組ストリーム（フル解像度の番組ストリーム）の対応するGoPの現在のPTSとを比較することにより、第２の番組（低解像度の番組ストリーム）のGoPの冗長性を規定するために使用される。
【００４７】
S2は、分析器がフル解像度の番組ストリームでの次のIピクチャと、低解像度の番組ストリームの次のIピクチャとを待つ場合のステップを表す。
【００４８】
S3は、新たなPTS値がいずれかのストリームのGoPのIピクチャで読み取られた場合の時点を規定するためのテストである。新たなPTS値が読み取られた場合、閾値に関する値のテストが行われてもよい。
【００４９】
S4は、低解像度の番組ストリームのGoPが受信機にとって高解像度の番組ストリームのGoPと冗長であるかを検討するための第１の条件のテストである。GoPが冗長である場合、GoPについて何も行われず、処理はS2にループする。GoPが冗長でない場合、処理はS5に続く。
【００５０】
S5は、低解像度の番組ストリームのGoPが受信機にとって高解像度の番組ストリームのGoPと冗長であるかを検討するための第２の条件のテストである。GoPが冗長である場合、GoPについて何も行われず、処理はS2にループする。GoPが冗長でない場合、処理はS6に続く。
【００５１】
S6は、フル解像度の番組ストリームのGoPと冗長であるとして検出されないため、低解像度の番組ストリームのGoPが分析器から出力される場合のステップである。分析器は、S2にループし、PTSの次の対を分析する。
【００５２】
明らかに、本発明は記載の好ましい実施例に限定されない。
【００５３】
特に、本発明は、標準的なMPEG2フォーマットに従って符号化されたビデオ番組に限定されず、他のビデオ圧縮標準に適用可能である。
【００５４】
本発明はまた、ソースにより配信された番組が何らかのネットワークプロトコルを使用することによりマルチキャストリンクで２つの番組ストリーム（高解像度の番組ストリーム及び更なる低解像度の番組ストリーム）により送信される場合のビデオ番組のブロードバンド送信にも適用される。
【００５５】
有利には、スタンドアローン型装置又は送信パスにおいて更なる処理を行うために使用される他の装置では、GoP分析器は、符号化器の外側に実装されてもよい。
【００５６】
明細書、特許請求の範囲及び図面に記載された言及は、独立して提供されてもよく、いずれかの適切な組み合わせで提供されてもよい。適切な場合には、特徴はハードウェア、ソフトウェア又はこれらの２つの組み合わせで実装されてもよい。
【００５７】
ここでの“一実施例”又は“実施例”への言及は、実施例に関して記載した特定の機能、構造又は特徴が、本発明の少なくとも１つの実装に含まれてもよいことを意味する。明細書の様々な場所に“一実施例では”という用語が現れることは、必ずしも全てが同じ実施例を示しているとは限らず、また、別々の実施例又は代替実施例が必ずしも他の実施例と相互排他的であるとは限らない。
【符号の説明】
【００５８】
1  ビデオソース
2  符号化器
3  送信機
4  受信機／復号化器
5  ディスプレイ
【図１】
2012165380.tif 000003
【図２】
2012165380.tif 000004
【図３】
2012165380.tif 000005
【図４】
2012165380.tif 000006
【図５】
2012165380.tif 000007
【図６】
2012165380.tif 000008
【外国語明細書】
2012165380000001.pdf